(57)【要約】    【課題】  調剤薬局における多様な業務手順にも容易に対応可能な調剤薬局支援システム及び調剤薬局支援プログラムを提供する。    【解決手段】  処方箋受付支援サブシステム１１０と、処方監査支援サブシステム１２０と、調剤監査支援サブシステム１３０と、服薬指導支援サブシステム１４０と、会計処理支援サブシステム１５０と、これらの各支援サブシステムの作動を制御する制御部１００とを備えた調剤薬局支援システム１０であって、処方監査支援サブシステム１２０、調剤監査支援サブシステム１３０及び服薬指導支援サブシステム１４０のいずれか一つ又は二つ以上を作動させることなく残りの各支援サブシステム１１０，１５０を作動させるような設定が可能であることを特徴とする調剤薬局支援システム。  【選択図】  図１
2005115871.tif 000002
【特許請求の範囲】
【請求項１】
患者情報及び処方内容の入力作業を支援する処方箋受付支援サブシステムと、
入力された処方内容が適切であるかどうかの監査を支援する処方監査支援サブシステムと、
調剤された薬の内容が適切であるかどうかの監査を支援する調剤監査支援サブシステムと、
患者への服薬指導を支援する服薬指導支援サブシステムと、
会計処理を支援する会計処理支援サブシステムと、
これらの各支援サブシステムの作動を制御する制御部とを備えた調剤薬局支援システムであって、
前記処方監査支援サブシステム、前記調剤監査支援サブシステム及び前記服薬指導支援サブシステムのいずれか一つ又は二つ以上を作動させることなく残りの各支援サブシステムを作動させるような設定が可能であることを特徴とする調剤薬局支援システム。
【請求項２】
請求項１に記載の調剤薬局支援システムにおいて、
前記処方監査支援サブシステム、前記調剤監査支援サブシステム、前記服薬指導支援サブシステム及び前記会計処理支援サブシステムの一つ又は二つ以上を作動させた後であっても、前記処方箋受付支援サブシステムを作動させることが可能であることを特徴とする調剤薬局支援システム。
【請求項３】
請求項１又は２に記載の調剤薬局支援システムにおいて、
先に処方箋受付支援サブシステムにより受付を行った患者（以下「先受付患者」という。）と後に処方箋受付支援サブシステムにより受付を行った患者（以下「後受付患者」という。）とがあった場合において、先受付患者についての処方箋支援サブシステムを、後受付患者についての処方箋支援サブシステムの作動後にも作動させることが可能であることを特徴とする調剤薬局支援システム。
【請求項４】
請求項１〜３に記載の調剤薬局支援システムにおいて、
患者の待ち時間を表示する窓口支援サブシステムをさらに備えたことを特徴とする調剤薬局支援システム。
【請求項５】
請求項１〜４のいずれかに記載の調剤薬局支援システムにおいて、
調剤作業を支援する調剤支援サブシステムをさらに備えたことを特徴とする調剤薬局支援システム。  
【請求項６】
請求項１〜５のいずれかに記載の調剤薬局支援システムにおいて、
前記処方箋受付支援サブシステムは、複数の入力画面パターンのいずれかを選択して表示することが可能であることを特徴とする調剤薬局支援システム。
【請求項７】
請求項１〜６のいずれかに記載の調剤薬局支援システムにおいて、
前記処方監査支援サブシステムは、前記処方内容の修正が可能であることを特徴とする調剤薬局支援システム。
【請求項８】
請求項１〜７のいずれかに記載の調剤薬局支援システムにおいて、
前記調剤監査支援サブシステムは、薬袋毎に薬袋の画像及び薬の画像を表示することが可能であることを特徴とする調剤薬局支援システム。
【請求項９】
請求項１〜８のいずれかに記載の調剤薬局支援システムにおいて、
前記服薬指導支援サブシステムは、服薬指導に伴う点数加算項目の入力が可能であることを特徴とする調剤薬局支援システム。
【請求項１０】
請求項１〜９のいずれかに記載の調剤薬局支援システムにおいて、
前記会計処理支援サブシステムは、任意のタイミングで点数加算項目を入力して後算定処理を行うことが可能であることを特徴とする調剤薬局支援システム。
【請求項１１】
患者情報及び処方内容の入力作業を支援する処方箋受付支援サブシステムと、
入力された処方内容が適切であるかどうかの監査を支援する処方監査支援サブシステムと、
調剤された薬の内容が適切であるかどうかの監査を支援する調剤監査支援サブシステムと、
患者への服薬指導を支援する服薬指導支援サブシステムと、
会計処理を支援する会計処理支援サブシステムと、
これらの各支援サブシステムの作動を制御する制御部とを備えた調剤薬局支援システムであって、
前記処方監査支援サブシステム、前記調剤監査支援サブシステム、前記服薬指導支援サブシステム及び前記会計処理支援サブシステムの一つ又は二つ以上を作動させた後であっても、前記処方箋受付支援サブシステムを作動させることが可能であることを特徴とする調剤薬局支援システム。
【請求項１２】
請求項１１に記載の調剤薬局支援システムにおいて、
先受付患者と後受付患者とがあった場合において、先受付患者についての処方箋支援サブシステムを、後受付患者についての処方箋支援サブシステムの作動後にも作動させることが可能であることを特徴とする調剤薬局支援システム。
【請求項１３】
調剤薬局又は調剤薬局支援システム提供者のコンピュータシステムを、患者情報及び処方内容の入力作業を支援する処方箋受付支援サブシステムと、入力された処方内容が適切であるかどうかの監査を支援する処方監査支援サブシステムと、調剤された薬の内容が適切であるかどうかの監査を支援する調剤監査支援サブシステムと、患者への服薬指導を支援する服薬指導支援サブシステムと、会計処理を支援する会計処理支援サブシステムと、これらの各支援サブシステムの作動を制御するとともに、前記処方監査支援サブシステム、前記調剤監査支援サブシステム及び前記服薬指導支援サブシステムのいずれか一つ又は二つ以上を作動させることなく残りの各支援サブシステムを作動させるような設定が可能な調剤薬局支援システムとして機能させることを特徴とする調剤薬局支援プログラム。
【請求項１４】
調剤薬局又は調剤薬局支援システム提供者のコンピュータシステムを、患者情報及び処方内容の入力作業を支援する処方箋受付支援サブシステムと、入力された処方内容が適切であるかどうかの監査を支援する処方監査支援サブシステムと、調剤された薬の内容が適切であるかどうかの監査を支援する調剤監査支援サブシステムと、患者への服薬指導を支援する服薬指導支援サブシステム、会計処理を支援する会計処理支援サブシステムと、これらの各支援サブシステムの作動を制御する制御部とを備えた調剤薬局支援システムであって、前記処方監査支援サブシステム、前記調剤監査支援サブシステム、前記服薬指導支援サブシステム及び前記会計処理支援サブシステムの一つ又は二つ以上を作動させた後であっても、前記処方箋受付支援サブシステムを作動させることができる調剤薬局支援システムとして機能させることを特徴とする調剤薬局支援プログラム。
【発明の詳細な説明】
【技術分野】
【０００１】
本発明は、調剤薬局における多様な業務を支援するための調剤薬局支援システム及び調剤薬局支援プログラムに関する。
【背景技術】
【０００２】
調剤薬局においては、医薬分業により、医師の処方箋に基づいて薬剤が処方されている。そして、調剤薬局では、患者情報や処方内容を入力する処方箋受付、入力された処方内容の監査、処方薬の調剤、調剤された処方薬の監査、投薬・服薬指導、会計、保険請求事務、患者の薬歴管理、医薬品の在庫管理などの業務が行われている。
【０００３】
このような調剤薬局における業務を支援するために、調剤薬局支援システムが提案されている（例えば、特許文献１〜３参照。）。
特許文献１に開示された調剤薬局支援システムは、処方内容の安全性チェック機能、薬歴管理機能、服薬指導機能を支援するためのシステムである。
特許文献２に開示された調剤薬局支援システムは、小規模薬局に対して、処方箋記載の薬剤監査、薬歴管理、服薬指導、保険請求事務、医薬品の在庫管理などの業務を支援するシステムである。
特許文献３に開示された調剤薬局支援システム（調剤管理システム）は、ドラッグストアのチェーン店などの多数の調剤薬局に対して、管理センターなどで薬剤の発注や管理を一括して行うシステムである。
【特許文献１】特開２０００−１６３４９８号公報
【特許文献２】特開２００２−３２４１８１号公報
【特許文献３】特開２００３−５８６４０号公報
【発明の開示】
【発明が解決しようとする課題】
【０００４】
ところで、調剤薬局といっても、規模（例えば、小規模薬局、中規模薬局、大規模薬局）によって又は調剤薬局毎に、処方箋受付から会計までの業務手順がそれぞれ異なっているのが実情である。
しかしながら、上記したいずれの特許文献に開示された調剤薬局支援システムも、このように調剤薬局毎に異なる多様な業務手順に容易に対応可能な調剤薬局支援システムであるとはいえなかった。
【０００５】
そこで、本発明は、上記事情に鑑みてなされたもので、調剤薬局における多様な業務手順にも容易に対応可能な調剤薬局支援システム及び調剤薬局支援プログラムを提供することを目的とする。
【課題を解決するための手段】
【０００６】
（１）本発明の調剤薬局支援システムは、患者情報及び処方内容の入力作業を支援する処方箋受付支援サブシステムと、入力された処方内容が適切であるかどうかの監査を支援する処方監査支援サブシステムと、調剤された薬の内容が適切であるかどうかの監査を支援する調剤監査支援サブシステムと、患者への服薬指導を支援する服薬指導支援サブシステムと、会計処理を支援する会計処理支援サブシステムと、これらの各支援サブシステムの作動を制御する制御部とを備えた調剤薬局支援システムであって、前記制御部は、前記処方監査支援サブシステム、前記調剤監査支援サブシステム及び前記服薬指導支援サブシステムのいずれか一つ又は二つ以上を作動させることなく残りの各支援サブシステムを作動させるような設定が可能であることを特徴とする。
【０００７】
多くの調剤薬局においては、患者である顧客が来局すると、調剤薬局支援システムを用いて、患者情報及び処方内容の入力作業を行ったり、入力された処方内容が適切であるかどうかの監査を行ったり、調剤された薬の内容が適切であるかどうかの監査を行ったり、患者への服薬指導を行ったり、会計処理を行ったりしている。
しかしながら、調剤薬局によっては、必ずしもこれらすべての業務を調剤薬局支援システムを用いて行ってはいないこともある。例えば、小規模の調剤薬局においては、処方入力された処方内容が適切であるかどうかの監査（処方監査）を行ったり、調剤された薬の内容が適切であるかどうかの監査（調剤監査）を行ったりするのを、調剤薬局支援システム（この場合には、処方監査支援サブシステム及び調剤監査支援サブシステム）を用いずに行うこともある。また、調剤後に処方監査と調剤監査とを一括して行う場合のように、調剤業務の前に調剤薬局支援システム（この場合には、処方監査支援サブシステム）を用いる必要のない場合もある。
【０００８】
しかしながら、従来の調剤薬局支援システムにおいては、このようにいくつかの各支援サブシステムを用いる必要がないような場合であっても、これらの各支援サブシステムが常に作動可能な状態にあるため、使用者にとっては操作が煩雑であり不便であった。
【０００９】
これに対して、本発明の調剤薬局支援システムによれば、処方監査支援サブシステム、調剤監査支援サブシステム及び服薬指導支援サブシステムのいずれか一つ又は二つ以上を作動させることなく残りの各支援サブシステムを作動させるような設定が可能であるため、これらの支援サブシステムのうち調剤薬局にとって不要な支援サブシステムを作動させることなく残りの各支援サブシステムを作動させることができるようになり、使用者にとって使いやすく便利なシステムとなる。また、業務組み立ての自由度が高まりその調剤薬局にとって独自性に富むシステムとなる。また、調剤薬局における多様な業務手順にも容易に対応可能な調剤薬局支援システムとなる。
【００１０】
なお、本発明の調剤薬局支援システムにおいて、「処方監査支援サブシステム、調剤監査支援サブシステム及び服薬指導支援サブシステムのいずれか一つ又は二つ以上を作動させることなく残りの各支援サブシステムを作動させる」方法としては、専用の設定画面を準備しておき、この設定画面を用いて、これら三つの支援サブシステムのいずれか一つまたは二つ以上を選択できるボタンを画面上に表示させないようにすることを好ましく例示することができる。
【００１１】
（２）上記（１）に記載の調剤薬局支援システムにおいては、前記処方監査支援サブシステム、前記調剤監査支援サブシステム、前記服薬指導支援サブシステム及び前記会計処理支援サブシステムの一つ又は二つ以上を作動させた後であっても、前記処方箋受付支援サブシステムを作動させることが可能であることを特徴とする。  
【００１２】
調剤薬局においては、ＦＡＸによる処方箋の受付を行っている調剤薬局もある。このような調剤薬局において、処方箋がＦＡＸで送付されてくると、患者が来局する前に、処方箋受付、処方監査、調剤、調剤監査などの業務の全部又は一部が行われることになる。そして、その後患者が来局してから、処方箋受付業務の一部（他の病院で処方されている医薬品や日頃常用している一般医薬品などの情報の入力など）が補充的に行われることになる。
【００１３】
しかしながら、従来の調剤薬局支援システムにおいては、標準的な手順で調剤薬局支援システムが組み立てられているため、このような場合には、一旦確定した処方箋入力内容を変更することとなるため、複雑な操作をして必要な画面を呼び出すことが必要となり、使用者にとっては操作が煩雑であり、非常に使い勝手の悪いシステムとなる。
【００１４】
これに対して、本発明の調剤薬局支援システムによれば、処方監査支援サブシステム、調剤監査支援サブシステム、服薬指導支援サブシステム及び会計処理支援サブシステムの一つ又は二つ以上を作動させた後であっても、処方箋受付支援サブシステムを作動することが可能となるため、業務組み立ての自由度が高まりその調剤薬局にとって独自性に富むシステムとなる。また、調剤薬局における多様な業務手順にも容易に対応可能な調剤薬局支援システムとなる。
【００１５】
（３）上記（１）又は（２）に記載の調剤薬局支援システムにおいては、先に処方箋受付支援サブシステムにより受付を行った患者（以下「先受付患者」という。）と後に処方箋受付支援サブシステムにより受付を行った患者（以下「後受付患者」という。）とがあった場合において、先受付患者についての処方箋支援サブシステムを、後受付患者についての処方箋支援サブシステムの作動後にも作動させることが可能であることを特徴とする。
このため、上記のようにＦＡＸによる処方箋の受付から実際に患者が来局するまでの間に、他の患者の処方箋受付等を進めることができるようになるため、業務組み立ての自由度が高まりその調剤薬局にとって独自性に富むシステムとなる。また、調剤薬局における多様な業務手順にも容易に対応可能な調剤薬局支援システムとなる。
【００１６】
（４）上記（１）〜（３）のいずれかに記載の調剤薬局支援システムにおいては、患者の待ち時間を表示する窓口支援サブシステムをさらに備えたことを特徴とする。
このため、この調剤薬局支援システムによれば、窓口担当者がこの調剤薬局支援システムを用いて容易に患者の待ち時間を把握することができるようになるため、待ち時間の長い患者に対してきめ細かいフォローを行うことで、その調剤薬局における顧客満足度を高めることができるようになる。
【００１７】
（５）上記（１）〜（４）のいずれかに記載の調剤薬局支援システムにおいては、ハンディターミナルからなる調剤支援サブシステムをさらに備えたことを特徴とする。
このため、この調剤薬局支援システムによれば、薬剤師はこのハンディターミナルからなる調剤支援サブシステムを携帯し、画面に表示された薬の画像を見ながら実際に薬をピッキングすることができるようになるため、調剤ミスを抑制することができるという効果も得られる。  
【００１８】
（６）上記（１）〜（５）のいずれかに記載の調剤薬局支援システムにおいては、前記処方箋受付支援サブシステムは、複数の入力画面パターンのいずれかを選択して表示することが可能であることを特徴とする。
このため、この調剤薬局支援システムによれば、より調剤薬局毎のニーズに合致した入力画面パターンを選択して表示することができるようになるため、その調剤薬局にとってより相応しいシステムとなる。
【００１９】
（７）上記（１）〜（６）のいずれかに記載の調剤薬局支援システムにおいては、前記処方監査支援サブシステムは、処方内容の修正が可能であることを特徴とする。
このため、この調剤薬局支援システムによれば、入力された処方内容に誤りがあることを発見した場合には、薬剤師がその場で入力内容を修正することができるため、処方内容の修正時間が短縮される。この場合、処方内容の修正を慎重に行う必要があるため、この修正は上書き修正を行うのではなく、修正記録を残すような形で行うこととするのが好ましい。
【００２０】
（８）上記（１）〜（７）のいずれかに記載の調剤薬局支援システムにおいては、前記調剤監査支援サブシステムは、薬袋毎に薬袋の画像及び薬の画像を表示することが可能であることを特徴とする。
このため、この調剤薬局支援システムによれば、調剤監査支援サブシステムが薬袋毎に薬袋の画像及び薬の画像を表示することが可能であるため、使用者たる薬剤師にとって確実な監査を容易に行うことができるようになる。
【００２１】
（９）上記（１）〜（８）のいずれかに記載の調剤薬局支援システムにおいては、前記服薬指導支援サブシステムは、服薬指導に伴う点数加算項目の入力が可能であることを特徴とする。
このため、この調剤薬局支援システムによれば、服薬指導を行った薬剤師がその場で服薬指導に相当する点数加算項目の入力を行うことができるようになり、例えば服薬指導前に服薬指導料についての見込み入力を行ったが実際には服薬指導を行わなかったので点数加算項目の取消し処理を行う、というような事態をなくすることができる。
【００２２】
（１０）上記（１）〜（９）のいずれかに記載の調剤薬局支援システムにおいては、前記会計処理支援サブシステムは、任意のタイミングで点数加算項目を入力して後算定処理を行うことが可能であることを特徴とする。
このため、この調剤薬局支援システムによれば、実際に点数加算項目欄へチェックできる状態（例えば実際に服薬指導が終了した状態）になってから確実に入力作業を行うことができ、これにより、例えば服薬指導前に服薬指導料についての見込み入力を行ったが実際には服薬指導を行わなかったので点数加算項目の取消し処理を行う、というような事態をなくすることができる。
【００２３】
（１１）本発明の調剤薬局支援システムは、患者情報及び処方内容の入力作業を支援する処方箋受付支援サブシステムと、入力された処方内容が適切であるかどうかの監査を支援する処方監査支援サブシステムと、調剤された薬の内容が適切であるかどうかの監査を支援する調剤監査支援サブシステムと、患者への服薬指導を支援する服薬指導支援サブシステムと、会計処理を支援する会計処理支援サブシステムと、これらの各支援サブシステムの作動を制御する制御部とを備えた調剤薬局支援システムであって、前記処方監査支援サブシステム、前記調剤監査支援サブシステム、前記服薬指導支援サブシステム及び前記会計処理支援サブシステムの一つ又は二つ以上を作動させた後であっても、前記処方箋受付支援サブシステムを作動させることが可能であることを特徴とする。  
【００２４】
このため、この調剤薬局支援システムによれば、処方監査支援サブシステム、調剤監査支援サブシステム、服薬指導支援サブシステム及び会計処理支援サブシステムの一つ又は二つ以上を作動させた後であっても、処方箋受付支援サブシステムを作動することが可能であるため、業務組み立ての自由度が高まりその調剤薬局にとって独自性に富むシステムとなる。また、調剤薬局における多様な業務手順にも容易に対応可能な調剤薬局支援システムとなる。
【００２５】
（１２）上記（１１）に記載の調剤薬局支援システムにおいては、先受付患者と後受付患者とがあった場合において、先受付患者についての処方箋支援サブシステムを、後受付患者についての処方箋支援サブシステムの作動後にも作動させることが可能であることを特徴とする。
【００２６】
このため、ＦＡＸによる処方箋の受付があったような場合には、ＦＡＸによる処方箋の受付から実際に患者（先受付患者）が来局するまでの間に、他の患者（後受付患者）の処方箋受付等を進められるようになるため、業務組み立ての自由度が高まりその調剤薬局にとって独自性に富むシステムとなる。また、調剤薬局における多様な業務手順にも容易に対応可能な調剤薬局支援システムとなる。
【００２７】
（１３）本発明の調剤薬局支援プログラムは、調剤薬局又は調剤薬局支援システム提供者のコンピュータシステムを、患者情報及び処方内容の入力作業を支援する処方箋受付支援サブシステムと、入力された処方内容が適切であるかどうかの監査を支援する処方監査支援サブシステムと、調剤された薬の内容が適切であるかどうかの監査を支援する調剤監査支援サブシステムと、患者への服薬指導を支援する服薬指導支援サブシステムと、会計処理を支援する会計処理支援サブシステムと、これらの各支援サブシステムの作動を制御する制御部とを備えた調剤薬局支援システムであって、前記処方監査支援サブシステム、前記調剤監査支援サブシステム及び前記服薬指導支援サブシステムのいずれか一つ又は二つ以上を作動させることなく残りの各支援サブシステムを作動させるような設定が可能な調剤薬局支援システムとして機能させることを特徴とする。
【００２８】
このため、本発明の調剤薬局支援プログラムによれば、処方監査支援サブシステム、調剤監査支援サブシステム及び服薬指導支援サブシステムのいずれか一つ又は二つ以上を作動させることなく残りの各支援サブシステムを作動させるような設定が可能な調剤薬局支援システムとすることができるため、使用者にとって使いやすく便利なシステムとすることができる。また、業務組み立ての自由度が高まりその調剤薬局にとって独自性に富むシステムとすることができる。また、調剤薬局における多様な業務手順にも容易に対応可能な調剤薬局支援システムとすることができる。
【００２９】
（１４）本発明の調剤薬局支援プログラムは、調剤薬局又は調剤薬局支援システム提供者のコンピュータシステムを、患者情報及び処方内容の入力作業を支援する処方箋受付支援サブシステムと、入力された処方内容が適切であるかどうかの監査を支援する処方監査支援サブシステムと、調剤された薬の内容が適切であるかどうかの監査を支援する調剤監査支援サブシステムと、患者への服薬指導を支援する服薬指導支援サブシステム、会計処理を支援する会計処理支援サブシステムと、これらの各支援サブシステムの作動を制御する制御部とを備えた調剤薬局支援システムであって、前記処方監査支援サブシステム、前記調剤監査支援サブシステム、前記服薬指導支援サブシステム及び前記会計処理支援サブシステムの一つ又は二つ以上を作動させた後であっても、前記処方箋受付支援サブシステムを作動させることができる調剤薬局支援システムとして機能させることを特徴とする。
【００３０】
このため、本発明の調剤薬局支援プログラムによれば、処方監査支援サブシステム、調剤監査支援サブシステム、服薬指導支援サブシステム及び会計処理支援サブシステムの一つ又は二つ以上を作動させた後であっても、処方箋受付支援サブシステムを作動させることができる調剤薬局支援システムとすることができるため、使用者にとって使いやすく便利なシステムとすることができる。また、業務組み立ての自由度が高まりその調剤薬局にとって独自性に富むシステムとすることができる。また、調剤薬局における多様な業務手順にも容易に対応可能な調剤薬局支援システムとすることができる。
【発明を実施するための最良の形態】
【００３１】
以下、本発明の調剤薬局支援システム及び調剤薬局支援プログラムの実施の形態について説明する。但し、いうまでもなく、本発明は以下の実施の形態に限定されるものではない。
【００３２】
［実施形態１］
図１は、本発明の実施形態１に係る調剤薬局支援システムの概要を示すブロック図である。実施形態１に係る調剤薬局支援システム１０は、図１に示すように、患者情報及び処方内容の入力作業を支援する処方箋受付支援サブシステム１１０と、入力された処方内容が適切であるかどうかの監査を支援する処方監査支援サブシステム１２０と、調剤された薬の内容が適切であるかどうかの監査を支援する調剤監査支援サブシステム１３０と、患者への服薬指導を支援する服薬指導支援サブシステム１４０と、会計処理を支援する会計処理支援サブシステム１５０と、これらの各支援サブシステムの作動を制御する制御部１００とを備えた調剤薬局支援システムである。
【００３３】
制御部１００においては、処方監査支援サブシステム１２０、調剤監査支援サブシステム１３０及び服薬指導支援サブシステム１４０のいずれか一つ又は二つ以上を作動させることなく残りの各支援サブシステム１１０，１５０を作動させるような設定が可能となっている。また、制御部１００においては、各支援サブシステム１１０，１２０，１３０，１４０，１５０の機能を作動させる手順の設定も可能となっている。
【００３４】
図２は、実施形態１に係る調剤薬局支援システム１０を用いた業務の流れを示す図である。図２（ａ）はすべての各支援サブシステムを標準的な業務の流れに従って機能させた場合の図であり、図２（ｂ）は服薬指導をする前に会計処理の業務を行った場合の図である。
調剤薬局支援システム１０においては、図２に示すように、処方監査支援サブシステム１２０、調剤監査支援サブシステム１３０、服薬指導支援サブシステム１４０及び会計処理支援サブシステム１５０の一つ又は二つ以上を作動させた後であっても、処方箋受付支援サブシステム１１０を再度作動させることができる（図２の※１〜※７参照。）。  
【００３５】
調剤薬局においては、ＦＡＸによる処方箋の受付を行っている調剤薬局もある。このような調剤薬局において、処方箋がＦＡＸで送付されてくると、患者が来局する前に、処方箋受付、処方監査、調剤、調剤監査、会計処理などの業務の全部又は一部が行われることになる。そして、その後患者が実際に来局してから、処方箋受付業務の一部（他の病院で処方されている医薬品や日頃常用している一般医薬品などの情報の入力など）が補充的に行われることになる。
【００３６】
しかしながら、従来の調剤薬局支援システム１０においては、標準的な手順で調剤薬局支援システムが組み立てられているため、このような場合には、一旦確定した処方箋入力内容を変更することとなるため、複雑な操作をして必要な画面を呼び出すことが必要となり、使用者にとっては操作が煩雑であり、非常に使い勝手の悪いシステムとなる。
【００３７】
これに対して、実施形態１に係る調剤薬局支援システム１０によれば、処方監査支援サブシステム１２０、調剤監査支援サブシステム１３０、服薬指導支援サブシステム１４０及び会計処理支援サブシステム１５０の一つ又は二つ以上を作動させた後であっても処方箋受付支援サブシステム１１０を作動することができるため、業務組み立ての自由度が高まりその調剤薬局にとって独自性に富むシステムとすることができる。
【００３８】
図３は、実施形態１に係る調剤薬局支援システムを用いた業務の流れを示す図である。
実施形態１に係る調剤薬局支援システム１０においては、図３に示すように、先受付患者（図３（ｂ）の患者Ｐ２）と後受付患者（図３（ｃ）及び図３（ｄ）の患者Ｐ３，Ｐ４）とがあった場合において、先受付患者（患者Ｐ２）についての処方箋受付支援サブシステムを、後受付患者（患者Ｐ３，Ｐ４）についての処方箋受付支援サブシステムの作動後にも作動させることが可能である。
【００３９】
このため、先受付患者（患者Ｐ２）についてＦＡＸによる処方箋の受付から先受付患者（患者Ｐ２）が実際に来局するまでの間に、後受受患者（患者Ｐ３，Ｐ４）の処方箋受付等を進められるため、業務組み立ての自由度が高まりその調剤薬局にとって独自性に富むシステムとすることができる。また、調剤薬局における多様な業務手順にも容易に対応可能な調剤薬局支援システムとすることができる。
【００４０】
図４は、実施形態１に係る調剤薬局支援システム１０を用いた業務の流れを示す図である。図４（ａ）はすべての各支援サブシステムを標準的な業務の流れに従って機能させた場合の図であり、図４（ｂ）は処方監査支援サブシステム及び調剤監査サブシステムを機能させなかった場合の図であり、図４（ｃ）は処方監査支援サブシステムを機能させなかった場合の図であり、図４（ｄ）は処方箋受付支援サブシステムを調剤監査支援サブシステムの後にも機能させた場合の図である。
【００４１】
このように、実施形態１に係る調剤薬局支援システム１０によれば、処方監査及び調剤監査を（調剤薬局支援システムを用いずに）薬剤師自らの判断で行うような場合には、図４（ｂ）に示すように、処方監査支援サブシステム１２０及び調剤監査支援サブシステム１３０を機能させずに調剤薬局支援システムを用いることができる。
また、実施形態１に係る調剤薬局支援システム１０によれば、調剤後に処方監査と調剤監査を一括して行うような場合には、図４（ｃ）に示すように、処方監査支援サブシステム１２０を機能させずに調剤薬局支援システムを用いることができる。
また、実施形態１に係る調剤薬局支援システム１０によれば、まずＦＡＸによる処方箋の受付を行い後刻患者が来局するような場合には、図４（ｄ）に示すように、患者が来局する前に、処方箋受付支援サブシステム１１０、処方監査支援サブシステム１２０及び調剤監査支援サブシステム１３０を機能させ、その後患者が来局してから処方箋受付サブシステム１１０を機能させて、処方箋受付業務の一部（他の病院で処方されている医薬品や日頃常用している一般医薬品などの情報の入力など）を補充的に行うことができるようになる。
このため、実施形態１に係る調剤薬局支援システム１０によれば、使用者にとって使いやすく便利なシステムとなるとともに、調剤薬局毎に異なる多様な業務手順に容易に対応可能な調剤薬局支援システムとなる。
【００４２】
なお、実施形態１に係る調剤薬局支援システム１０においては、「処方監査支援サブシステム１１０、調剤監査支援サブシステム１２０及び服薬指導支援サブシステム１３０のいずれか一つ又は二つ以上を作動させることなく残りの各支援サブシステム１１０，１５０を作動させる」方法として、専用の設定画面を準備しておき、この設定画面を用いて、これら三つの支援サブシステム１１０，１２０，１３０のいずれか一つ又は二つ以上を選択できるボタンを画面上に表示させないように設定している。
【００４３】
図５〜７は、処方箋受付支援サブシステム１１０が準備している入力画面パターンの例を示す図である。図５は入力画面パターン例１を示す図であり、図６は入力画面パターン例２を示す図であり、図７は入力画面パターン例３を示す図である。
【００４４】
図５に示す入力画面パターン例１は、処方入力画面Ａの他にカレンダー画面Ｂと患者の薬歴等を示す画面Ｃとが表示されている。このため、この入力画面パターン例１を表示するようにすれば、処方入力時に、カレンダー画面Ｂの指定日に基づき来局日の薬歴を確認することができる。また、同じ処方であればＤＯ入力などで処方入力を簡略化することもできる。
【００４５】
図６に示す入力画面パターン例２は、比較的大きく配置された処方入力画面Ａの他に患者の来局歴等を示す画面Ｄが表示されている。このため、患者の来局歴等を示す画面Ｄが表示されているので、保険種別や指導・加算を同時に確認することもでき、会計のミスも少なくなるという効果も得られる。
【００４６】
図７に示す入力画面パターン例３は、さらに大きな処方入力画面Ａが表示されている。このため、入力画面がシンプルになり見やすくなっている。また、上部に細いカレンダーＥも表示されている。このため、患者の前回の来局も確認でき、過去処方のＤＯなどの簡単入力も行うことができる。また、上部に保険種別等を示す画面Ｆも表示されており、同時に確認することもできるようになっている。
【００４７】
処方箋受付支援サブシステム１１０は、上記のような複数の入力画面パターン１〜３を準備しているため、実施形態１に係る調剤薬局支援システム１０によれば、複数の入力画面パターンのいずれかを選択して表示することが可能となるため、調剤薬局毎のニーズにより合致した入力画面パターンを選択して表示することができるようになり、その調剤薬局にとってより相応しいシステムとなる。
【００４８】
図８は、処方監査支援サブシステム１２０が準備している入力画面パターンの例を示す図である。図８が示す入力画面パターンは、処方入力された薬品名や数量を示す画面Ｇが表示されており、この画面Ｇを用いて、処方入力された処方内容が適切であるかどうかの監査を行うことができる。また、この入力画面パターンには、患者の薬歴、処方された薬についての併用・ＯＴＣ（一般医薬品）情報、処方された薬についての医薬品情報、患者の来局歴などを呼び出すためのボタンＨが表示されており、必要に応じてこれらを呼び出すことができるようになっている。
さらにまた、この入力画面パターンには、処方内容の修正をするためのボタンＩが準備されている。このため、調剤薬局支援システム１０によれば、入力された処方内容に誤りがあることを発見した場合には、薬剤師がその場で入力内容を修正することができるようになり、処方内容の修正時間が短縮される。
この場合、処方内容の修正を慎重に行う必要があるため、この修正は上書き修正を行うのではなく、修正記録を残すような形で行うこととしている。
【００４９】
図９は、調剤監査支援サブシステム１３０が準備している入力画面パターンの例を示す図である。図９が示す入力画面パターンは、薬袋毎に薬袋の画像Ｊ、薬の画像Ｋ及び処方薬データＬを表示することができるようになっている。このため、調剤薬局支援システム１０によれば、調剤監査支援サブシステム１３０が薬袋毎に薬袋の画像Ｊ、薬の画像Ｋ及び処方薬データＬを表示することができるため、使用者たる薬剤師にとって確実な監査を容易に行うことができる。
【００５０】
図１０は、服薬指導支援サブシステム１４０が準備している入力画面パターンの例を示す図である。図１０が示す入力画面パターンは、投薬履歴Ｍ、グラフＮ、新規指導Ｏ、特記事項Ｑの４つの項目の切り替えにより、充実した服薬履歴管理を行うことができる。また、ＳＯＡＰ形式による指導にも対応しており（図中、Ｒ参照。）、薬局内の指導統一化はもちろん患者への明確な服薬指導を行うことができる。
また、この入力画面パターンには図示されていないが、服薬指導に伴う点数加算項目の入力を可能とすることもできる。このようにすれば、服薬指導を行った薬剤師がその場で服薬指導に相当する点数加算項目の入力を行うことができるようになり、例えば服薬指導前に服薬指導料についての見込み入力を行ったが実際には服薬指導を行わなかったので点数加算項目の取消し処理を行う、というような事態をなくすることができる。
【００５１】
図１１は、会計処理支援サブシステム１５０が準備している入力画面パターンの例を示す図である。図１１が示す入力画面パターン（後算定シミュレーション）は、各種指導加算等のチェック欄Ｓ及び点数Ｔが表示されている。指導加算等の確認後、点数の再計算（後会計）を行うことができるようになる。
このため、実施形態１に係る調剤薬局支援システム１０によれば、実際に点数加算項目欄へチェックできる状態（例えば実際に服薬指導が終了した状態）になってから確実に入力作業を行うことができ、入力ミスを抑制することができるようになる。これにより、服薬指導前に服薬指導料についての見込み入力を行ったが実際には服薬指導を行わなかったので点数加算項目の取消し処理を行う、という事態をなくすることができる。
【００５２】
実施形態１に記載の調剤薬局支援システム１０においては、上述した機能に加えて種々の機能を有している。例えば、薬袋や薬袋ラベルを印刷する機能、患者に手渡す医薬品情報を印刷する機能、レセプトの内容を集計したり印刷したりする機能、医薬品の発注処理を行う機能、医薬品の入庫処理を行う機能、医薬品の出庫処理を行う機能、医薬品の在庫管理を行う機能などがある。
【００５３】
実施形態１に記載の調剤薬局支援システム１０は、調剤薬局のコンピュータシステム（図示せず）に、この調剤薬局のコンピュータシステムを、患者情報及び処方内容の入力作業を支援する処方箋受付支援サブシステム１１０と、入力された処方内容が適切であるかどうかの監査を支援する処方監査支援サブシステム１２０と、調剤された薬の内容が適切であるかどうかの監査を支援する調剤監査支援サブシステム１３０と、患者への服薬指導を支援する服薬指導支援サブシステム１４０と、会計処理を支援する会計処理支援サブシステム１５０と、これらの各支援サブシステムの作動を制御する制御部を備えた調剤薬局支援システムであって、処方監査支援サブシステム１２０、調剤監査支援サブシステム１３０及び服薬指導支援サブシステム１４０のいずれか一つ又は二つ以上を作動させることなく残りの各支援サブシステムを作動させるような設定が可能である調剤薬局支援システムとして機能させるための調剤薬局支援プログラムをインストールすることにより所定の機能を発揮する。
【００５４】
なお、この調剤薬局支援プログラムには、処方監査支援サブシステム１２０、調剤監査支援サブシステム１３０、服薬指導支援サブシステム１４０及び会計処理支援サブシステム１５０の一つ又は二つ以上を作動させた後であっても、処方箋受付支援サブシステム１１０を作動させることができるプログラムも含まれている。
【００５５】
また、この調剤薬局支援プログラムには、先受付患者と後受付患者とがあった場合において、先受付患者についての処方箋受付支援サブシステムを後受付患者についての処方箋受付支援サブシステムの作動後にも作動させることが可能となるプログラムも含まれている。
【００５６】
コンピュータシステムとしては、調剤薬局の規模によって異なるが、スタンドアロンのコンピュータからなるもの、ピアツーピアタイプのコンピュータシステムからなるもの、クライアントサーバタイプのコンピュータシステムからなるものを好ましく用いることができる。そして、調剤薬局支援システム１０は、公衆通信回線又はインターネットによって調剤薬局支援システム提供者等のサーバに接続されている。そして、法改正、薬価改訂、その他必要なタイミングで最新の調剤薬局支援プログラムのインストールが行われる。これにより、常に最新の調剤薬局支援システムの機能を発揮するようになる。
【００５７】
実施形態１においては、調剤薬局のコンピュータシステムに調剤薬局支援プログラムがインストールされて調剤薬局支援システムが構成されている例を示したが、本発明はこれには限られない。例えば、調剤薬局支援システム提供者のコンピュータシステムに調剤薬局支援プログラムをインストールしておき、各調剤薬局は調剤薬局支援システムの提供者のコンピュータシステムにその都度アクセスしながら調剤薬局支援システムを使用することもできる。
【００５８】
[実施形態２]
図１２は、本発明の実施形態２に係る調剤薬局支援システムの概要を示すブロック図である。実施形態２に係る調剤薬局支援システム２０は、図１２に示すように、実施形態１に係る調剤薬局支援システム１０が備える各支援サブシステム１００〜１５０に加えて、患者の待ち時間を表示する窓口支援サブシステム１６０をさらに備えたことを特徴としている。
【００５９】
図１３は、この窓口支援サブシステム１６０が準備している入力画面パターンの例を示す図である。患者の不満の多くは待ち時間が長いことである。図１３が示す入力画面パターン（待ち患者一覧）は、使用者の選択により、処方監査、調剤監査、後会計のいずれかからの待ち患者一覧を表示することができ、ＴＰＯに応じた患者の抽出を行うことができる。この窓口支援サブシステム１６０は、使用者の選択によりいつでも画面に表示することができる。
【００６０】
このため、実施形態２に係る調剤薬局支援システム２０によれば、窓口担当者が患者の待ち時間を容易に把握することができるようになるため、待ち時間の長い患者に対してきめ細かいフォローを行うことで、その調剤薬局における顧客満足度を高めることができるようになる。
【００６１】
[実施形態３]
図１４は、本発明の実施形態３に係る調剤薬局支援システムの概要を示すブロック図である。本発明の実施形態３に係る調剤薬局支援システム３０は、図１４に示すように、実施形態２に係る調剤薬局支援システム２０が備える各支援サブシステム１００〜１６０に加えて、ハンディターミナルからなる調剤支援サブシステム１７０をさらに備えたことを特徴としている。
【００６２】
図１５は、実施形態３に係る調剤薬局支援システムを用いた業務の流れを示す図である。図１５（ａ）〜図１５（ｄ）は、図４（ａ）〜（ｄ）に対応している。実施形態３に係る調剤薬局支援システム３０によれば、図１５に示すように、いずれの場合も、薬剤師は調剤支援サブシステム１７０を用いて調剤作業を行っている。
【００６３】
このため、この調剤薬局支援システム３０によれば、薬剤師はこのハンディターミナルからなる調剤支援サブシステム３０を携帯し、画面に表示された薬の画像を見ながら実際に薬をピッキングすることができるようになるため、調剤ミスを抑制することができるようになる。
【００６４】
以上のように、本発明の調剤薬局支援システム及び調剤薬局支援プログラムによれば、調剤薬局における多様な業務手順にも容易に対応可能な調剤薬局支援システム及び調剤薬局支援プログラムを提供することができる。
【図面の簡単な説明】
【００６５】
【図１】実施形態１に係る調剤薬局支援システムの概要を示すブロック図。
【図２】実施形態１に係る調剤薬局支援システムを用いた業務の流れを示す図。
【図３】実施形態１に係る調剤薬局支援システムを用いた業務の流れを示す図。
【図４】実施形態１に係る調剤薬局支援システムを用いた業務の流れを示す図。
【図５】処方入力支援サブシステムが準備している入力画面パターンの例を示す図。
【図６】処方入力支援サブシステムが準備している入力画面パターンの例を示す図。
【図７】処方入力支援サブシステムが準備している入力画面パターンの例を示す図。
【図８】処方監査支援サブシステムが準備している入力画面パターンの例を示す図。
【図９】調剤監査支援サブシステムが準備している入力画面パターンの例を示す図。
【図１０】服薬指導支援サブシステムが準備している入力画面パターンの例を示す図。
【図１１】会計処理支援サブシステムが準備している入力画面パターンの例を示す図。
【図１２】実施形態２に係る調剤薬局支援システムの概要を示すブロック図。
【図１３】窓口支援サブシステムが準備している待ち時間患者一覧画面を示す図。
【図１４】実施形態３に係る調剤薬局支援システムの概要を示すブロック図。
【図１５】実施形態３に係る調剤薬局支援システムを用いた業務の流れを示す図。
【符号の説明】
【００６６】
１０，２０，３０…調剤薬局支援システム、１００…制御部、１１０…処方箋受付支援サブシステム、１２０…処方監査支援サブシステム、１３０…調剤監査支援サブシステム、１４０…服薬指導支援サブシステム、１５０…会計処理支援サブシステム、１６０…窓口支援サブシステム、１７０…調剤支援サブシステム
【図１】
2005115871.tif 000003
【図２】
2005115871.tif 000004
【図３】
2005115871.tif 000005
【図４】
2005115871.tif 000006
【図５】
2005115871.tif 000007
【図６】
2005115871.tif 000008
【図７】
2005115871.tif 000009
【図８】
2005115871.tif 000010
【図９】
2005115871.tif 000011
【図１０】
2005115871.tif 000012
【図１１】
2005115871.tif 000013
【図１２】
2005115871.tif 000014
【図１３】
2005115871.tif 000015
【図１４】
2005115871.tif 000016
【図１５】
2005115871.tif 000017